(57)【要約】【課題】ズレ止め手段及び廃棄状態固定手段を適切な位置に兼備できるようにする。【解決手段】上記課題は、吸収パッド２００の裏面の少なくとも一部に、液不透過性の自己密着性フィルム３０からなるズレ止め部分が設けられており、この自己密着性フィルム３０は、吸収パッド２００に対して固定された固定部３１と、吸収パッド２００に対して剥離可能に固定された後処理部３２とを有しており、トップシート２２が内側となるように丸めた若しくは折り畳んだ廃棄状態で、その外周にフィルム３０の後処理部３２を巻き付けるとともに、巻き付けた後処理部３２の端部相互を重ねて密着しうるように構成されることにより解決できる。【選択図】図１
2010227386.tif 000002
【特許請求の範囲】
【請求項１】
透液性トップシートと液不透過性シートとの間に吸収体が介在されてなり、アウター物品の内面に敷いて使用される吸収パッドにおいて、
裏面の少なくとも一部に、液不透過性の自己密着性フィルムからなるズレ止め部分が設けられており、
前記自己密着性フィルムは、吸収パッドに対して固定された固定部と、吸収パッドに対して非固定又は剥離可能に固定された後処理部とを有しており、
前記トップシートが内側となるように丸めた若しくは折り畳んだ廃棄状態で、その外周に前記後処理部を巻き付けるとともに、巻き付けた後処理部の端部相互を重ねて密着しうるように構成されている、
ことを特徴とする吸収パッド。
【請求項２】
前記廃棄状態で、その外面全体を前記フィルムの後処理部により被覆しうるように構成されている、請求項１記載の吸収パッド。
【請求項３】
前記フィルムは、引張強さが１．８〜２．５Ｎ／ｍｍ2且つ破断伸びが５００％以上の伸張性フィルムである、請求項２記載の吸収パッド。
【請求項４】
前記フィルムは、前記吸収パッド裏面のうち前後方向中間部に設けられており、このフィルムの中央部、前端部、後端部及び側端部のうちいずれか一つに前記固定部が設けられるとともに、この固定部以外の部分が前記後処理部とされている、請求項３記載の吸収パッド。
【請求項５】
前記フィルムは、前記吸収パッド裏面のうち外周縁部に環状に設けられており、この環状フィルムの内周縁部が前記固定部とされるとともに、この固定部より外周側の部分が前記後処理部とされており、この後処理部は吸収パッドの他の部分から突出しているか又は突出可能であり、且つこの環状フィルムの枠内全体にわたるように前記液不透過性シートが設けられている、請求項１記載の吸収パッド。
【請求項６】
前記フィルムは、前記吸収パッド裏面のうち幅方向両側部に前端部から後端部にかけて設けられており、このフィルムの幅方向両端部に前記固定部が設けられるとともに、これら固定部間の部分のうち幅方向中央側の端部に前後方向に沿ってミシン目が形成されており、このミシン目とフィルムの幅方向外側の固定部との間の部分が前記後処理部とされており、且つ一方のフィルムにおける幅方向外側の固定部と他方のフィルムにおける幅方向外側の固定部との間の部分全体にわたるように前記液不透過性シートが設けられている、請求項１記載の吸収パッド。
【請求項７】
透液性トップシートと液不透過性シートとの間に吸収体が介在されてなり、アウター物品の内面に敷いて使用される吸収パッドにおいて、
前記液不透過性シートは液不透過性の自己密着性フィルムからなり且つその少なくとも一部が吸収パッドの裏面にズレ止め部分として露出しており、
前記液不透過性シートは、周縁部の少なくとも一部が吸収パッドの他の部分から突出しているか又は突出可能な後処理部とされており、
前記トップシートが内側となるように丸めた若しくは折り畳んだ廃棄状態で、その外部に露出する後処理部を、液不透過性シートの外部露出部分に密着しうるように構成されている、
ことを特徴とする吸収パッド。
【発明の詳細な説明】
【技術分野】
【０００１】
本発明は、尿や経血等の排泄物を吸収するために、おむつや下着の内面に敷いて使用される吸収パッドに関するものである。
【背景技術】
【０００２】
例えば成人向けの使い捨ておむつにおいては、交換頻度を考慮して、内面に尿吸収を目的とした吸収パッドを用いることが一般的になっている（例えば特許文献１参照）。このような吸収パッドは、液不透過性シートと透液性トップシートとの間に吸収体が介在された構造を有している。製品によっては、液不透過性シートの裏面を、より肌触りに優れた不織布で被覆することも行われている。
また、このような構造を有する吸収パッドにおいては、装着時のズレ止めのため、裏面に粘着剤や面ファスナー（メカニカルファスナー）のフックテープが取り付けられており、これらの止着手段を介しておむつ又は下着の内面に止着することが一般的となっている（特許文献２参照）。
【０００３】
他方、このような吸収パッドは、使用後に排泄物の付着面が内側となるように丸め若しくは折り畳み（以下、廃棄状態ともいう）、サニタリーボックスやおむつ保管容器等の密閉性の高い保管容器に入れて一時保管し、容器内の貯留量がある程度に達したらゴミ袋に入れて廃棄するといった使用形態がとられている。
しかし、従来の一般的な吸収パッドにおいては、廃棄状態で固定する手段が設けられていないという問題点があった。すなわち、パンツタイプおむつで汎用されている後処理テープのような廃棄状態固定手段を吸収パッドの裏面に設ける場合、少なくともパッドの前後端部に設けるのが好ましいが、その位置は、現在必須となっているズレ止め手段（粘着剤等）の好ましい設置位置と重なり、両者を設けることができないため、より必要性の高いズレ止め手段のみを設けていたのである。
【先行技術文献】
【特許文献】
【０００４】
【特許文献１】特開２００５−２８７７９１号公報
【特許文献２】特許３７６４０１０号
【発明の概要】
【発明が解決しようとする課題】
【０００５】
そこで、本発明の主たる課題は、ズレ止め手段及び廃棄状態固定手段を適切な位置に兼備できるようにすることにある。
【課題を解決するための手段】
【０００６】
上記課題を解決した本発明は次記のとおりである。
＜請求項１記載の発明＞
透液性トップシートと液不透過性シートとの間に吸収体が介在されてなり、アウター物品の内面に敷いて使用される吸収パッドにおいて、
裏面の少なくとも一部に、液不透過性の自己密着性フィルムからなるズレ止め部分が設けられており、
前記自己密着性フィルムは、吸収パッドに対して固定された固定部と、吸収パッドに対して非固定又は剥離可能に固定された後処理部とを有しており、
前記トップシートが内側となるように丸めた若しくは折り畳んだ廃棄状態で、その外周に前記後処理部を巻き付けるとともに、巻き付けた後処理部の端部相互を重ねて密着しうるように構成されている、
ことを特徴とする吸収パッド。
【０００７】
（作用効果）
本発明の特徴は、吸収パッドの裏面の少なくとも一部に自己密着性フィルムを設けて、これをズレ止め兼廃棄状態固定手段としたころにある。これにより、従来は同じ位置に両者を設けることができなかったズレ止め手段及び廃棄状態固定手段を、適切な位置に兼備できるようになる。
【０００８】
＜請求項２記載の発明＞
前記廃棄状態で、その外面全体を前記フィルムの後処理部により被覆しうるように構成されている、請求項１記載の吸収パッド。
【０００９】
（作用効果）
このように廃棄状態の吸収パッドの全体を自己密着性フィルムで被覆できると、単に自己密着性フィルムで廃棄状態に固定できるだけでなく、排泄物そのもの及び排泄物から発生する臭気を自己密着性フィルムで遮断して、内部に閉じ込めておくことができ、衛生的な廃棄処分が可能となる。
【００１０】
＜請求項３記載の発明＞
前記フィルムは、引張強さが１．８〜２．５Ｎ／ｍｍ2且つ破断伸びが５００％以上の伸張性フィルムである、請求項２記載の吸収パッド。
【００１１】
（作用効果）
廃棄状態は使用時と比べてコンパクトであるため、フィルムの寸法がある程度小さくても、十分に廃棄状態の吸収パッドに巻き付けたり、その全体を被覆したりすることもできる。しかし、伸長性に乏しいフィルムでは、多様な廃棄状態の寸法、形状に対応し難く、例えば吸収パッドが多量に吸収した場合や、汚れを避けて丸めた結果いびつな形状になってしまった場合等に対応できるようにするには、フィルムの使用量を増加せざるをえない。これに対して、上述のような伸張性フィルムを用いることにより、フィルムの使用量を少なく抑えることができるとともに、多様な廃棄状態の寸法、形状にも適合できるようになる。
【００１２】
なお、引張強さ及び破断伸びは、ＪＩＳ  Ｋ  ７１２７「プラスチック−引張特性の試験方法−第３部：フィルム及びシートの試験条件」に準じて、試験片のタイプをタイプ１Ｂとし、引張速度を５００ｍｍ／分として測定される値を意味する。
【００１３】
＜請求項４記載の発明＞
前記フィルムは、前記吸収パッド裏面のうち前後方向中間部に設けられており、このフィルムの中央部、前端部、後端部及び側端部のうちいずれか一つに前記固定部が設けられるとともに、この固定部以外の部分が前記後処理部とされている、請求項３記載の吸収パッド。
【００１４】
（作用効果）
フィルムの位置等は適宜定めれば良いが、吸収パッド裏面のうち前後方向中間部であると、ズレ止め及び後処理の両者に特に適している。すなわち、吸収パッドの前後方向中間部は両脚の動きの影響を受け易いためズレが発生し易い。また、吸収パッドを廃棄状態にする際、前後いずれか一方から丸めても、前後方向中央を境に二つに折り畳んだ後に前後端部側から丸めても、フィルムが外面に露出するため、多様な処理形態に対応できる。
【００１５】
＜請求項５記載の発明＞
前記フィルムは、前記吸収パッド裏面のうち外周縁部に環状に設けられており、この環状フィルムの内周縁部が前記固定部とされるとともに、この固定部より外周側の部分が前記後処理部とされており、この後処理部は吸収パッドの他の部分から突出しているか又は突出可能であり、且つこの環状フィルムの枠内全体にわたるように前記液不透過性シートが設けられている、請求項１記載の吸収パッド。
【００１６】
（作用効果）
吸収体の裏面側に液不透過性シートを備える吸収パッドにおいては、パッドを廃棄状態にすることにより、排泄物そのもの及び臭気の吸収体裏面側への通路を液不透過性シートで遮断できる。よって、自己密着フィルムを上述のように環状に設けるだけでも、廃棄状態において液不透過性シートで遮断できない部分を環状フィルムで被覆（実質的にパッド外面全体をフィルム素材で被覆）することができる。つまり、この場合にも、単に自己密着性フィルムで廃棄状態に固定できるだけでなく、排泄物そのもの及び排泄物から発生する臭気をフィルム素材で遮断して、内部に閉じ込めておくことができ、衛生的な廃棄処分が可能となる。
【００１７】
＜請求項６記載の発明＞
前記フィルムは、前記吸収パッド裏面のうち幅方向両側部に前端部から後端部にかけて設けられており、このフィルムの幅方向両端部に前記固定部が設けられるとともに、これら固定部間の部分のうち幅方向中央側の端部に前後方向に沿ってミシン目が形成されており、このミシン目とフィルムの幅方向外側の固定部との間の部分が前記後処理部とされており、且つ一方のフィルムにおける幅方向外側の固定部と他方のフィルムにおける幅方向外側の固定部との間の部分全体にわたるように前記液不透過性シートが設けられている、請求項１記載の吸収パッド。
【００１８】
（作用効果）
この形態では、ミシン目を切り離した後、フィルムにおけるミシン目よりも幅方向外側の部分を、幅方向外側の固定部に対する境界を折り目として吸収パッドの側方へ折り返すことにより、吸収パッドの側方に突出する後処理部分が形成される。この後処理部分は廃棄状態の吸収パッドの両側に突出するため、これらを幅方向中央側に折り返して密着させることにより吸収パッドを廃棄状態に固定することができる。しかも、この廃棄状態において液不透過性シートで遮断できない部分が側部フィルムで被覆されるため、実質的にパッド外面全体がフィルム素材で被覆される。つまり、この場合にも、単に自己密着性フィルムで廃棄状態に固定できるだけでなく、排泄物そのもの及び排泄物から発生する臭気をフィルム素材で遮断して、内部に閉じ込めておくことができ、衛生的な廃棄処分が可能となる。
【００１９】
＜請求項７記載の発明＞
透液性トップシートと液不透過性シートとの間に吸収体が介在されてなり、アウター物品の内面に敷いて使用される吸収パッドにおいて、
前記液不透過性シートは液不透過性の自己密着性フィルムからなり且つその少なくとも一部が吸収パッドの裏面にズレ止め部分として露出しており、
前記液不透過性シートは、周縁部の少なくとも一部が吸収パッドの他の部分から突出しているか又は突出可能な後処理部とされており、
前記トップシートが内側となるように丸めた若しくは折り畳んだ廃棄状態で、その外部に露出する後処理部を、液不透過性シートの外部露出部分に密着しうるように構成されている、
ことを特徴とする吸収パッド。
【００２０】
（作用効果）
このように、吸収パッドの裏面材兼防漏材である液不透過性シートとして、自己密着性フィルムを用いると、一枚のフィルムで、裏面材、防漏材、ズレ止め手段及び廃棄時固定手段を兼備することができるため好ましい。
【発明の効果】
【００２１】
以上のとおり、本発明によれば、ズレ止め手段及び廃棄状態固定手段を適切な位置に兼備できるようになる、等の利点がもたらされる。
【図面の簡単な説明】
【００２２】
【図１】吸収パッドの展開状態の表面側を示す平面図である。
【図２】吸収パッドの展開状態の裏面側を示す平面図である。
【図３】図１のＹ−Ｙ断面図である。
【図４】図１のＺ−Ｚ断面図である。
【図５】展開状態の吸収パッドを、展開状態のテープ式使い捨ておむつの内面に敷いた状態を示す平面図である。
【図６】廃棄過程を示す側面図である。
【図７】廃棄状態を示す側面図である。
【図８】他の吸収パッドの展開状態の裏面側を示す平面図である。
【図９】図７のＺ−Ｚ断面図である。
【図１０】他の吸収パッドの展開状態の裏面側を示す平面図である。
【図１１】図７のＺ−Ｚ断面図である。
【図１２】他の形態の吸収パッドの断面図である。
【発明を実施するための形態】
【００２３】
以下、本発明の一実施形態について尿吸収パッドの例を引いて説明するが、おむつや下着等のアウター物品の内面に敷いて使用するものであれば、生理用ナプキン等の他の吸収パッドにも適用できるものである。なお、以下の説明において「股間部」とは使用時に身体の股間と対応させる部分を意味し、殆ど多くの製品では前後方向中央部及びその前後近傍の部分である。具体的には、成人向け製品の場合、製品の前後方向中央を基準として±１５０ｍｍの範囲である。また、「腹側部分」及び「前側部分」は股間部よりも前側の部分を意味し、「背側部分」及び「後側部分」は股間部よりも後側の部分を意味する。
【００２４】
（第１の形態）
図１〜図４は、本発明に係る吸収パッド例２００を示している。この吸収パッド２００は、図５に示すように、使い捨ておむつ１００の内面に敷いて使用することを想定したものであり、股間部Ｃ２と、その前後両側に延在する前側部分Ｆ２及び背側部分Ｂ２とを有するものである。図示の使い捨ておむつ例１００は、液不透過性シート１の内面と透液性トップシート２との間に吸収体３が介在され、内面の両側部に身体側に起立するバリヤーシート４，４が設けられた基本構造（この点では吸収パッド２００と略同様）を有し、背側の両側部から突出するファスニングテープ５，５を、腹側外面に設けられたターゲットテープ６に連結することにより装着する、いわゆるテープタイプのおむつであるが、パンツタイプにも用いうることはいうまでもない。
【００２５】
吸収パッド２００の各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００２６】
吸収パッド２００は、液不透過性シート２１の内面と、透液性トップシート２２との間に、吸収体２３が介在された基本構造を有している。
【００２７】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。
【００２８】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２９】
吸収体２３の裏面側には、液不透過性シート２１が吸収体３の周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。このような透湿性シートにおいても臭気の透過は抑制される。吸収パッドの裏面を布のような肌触りとするために、液不透過性シート２１の外面に外装不織布を張り合わせたり、液不透過性シート２１として外面に不織布をラミネートしたラミネートシートを用いたりすることができる。これらの不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３０】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３１】
吸収パッド２００の前後方向両端部では、透液性トップシート１が吸収体３の前後端よりも前後両側にそれぞれ延在されて貼り合わされ、吸収体２３の存在しないエンドフラップ部ＥＦが形成されている。
【００３２】
吸収パッド２００の両側部では、液不透過性シート２１が吸収体２３の側縁よりも外側にそれぞれ延在され、この延在部からトップシート２２の側部までの部分の内面にはバリヤーシート２４の幅方向外側の部分２４ｘが前後方向全体にわたり貼り付けられ、吸収体２３の存在しないサイドフラップ部ＳＦを構成している。これら貼り合わせ部分は、図９及び図１０では点模様で示されており、ホットメルト接着剤、ヒートシール、超音波シールにより形成できる。
【００３３】
エンドフラップ部ＥＦ及びサイドフラップ部ＳＦ以外の吸収体介在部分が本体部ＢＤを構成する。図示形態では、吸収体３の前端及び後端はそれぞれ幅方向に沿う直線状をなしているため、前後エンドフラップ部ＥＦと本体部ＢＤとの境界ＢＬ（本発明では折り目となる）も同様の直線状となるが、これらは円弧状等の曲線状をなしていても、へ字状等の屈曲線状をなしていても良い。各エンドフラップ部ＥＦの寸法は適宜定めることができるが、エンドフラップ部ＥＦにおいて液不透過性シート２１と透液性トップシート２２およびバリヤーシート２４とが確実に貼り合わせられるため、少なくとも一部が本体部ＢＤとの境界ＢＬから１０ｍｍ以上食み出しているのが好ましく、また各エンドフラップ部ＥＦの面積は２０００〜１２０００ｍｍ2程度確保されているのが好ましい。
【００３４】
バリヤーシート２４の素材としては、プラスチックシートやメルトブローン不織布を使用することもできるが、肌への感触性の点で、不織布にシリコンなどにより撥水処理をしたものが好適に使用される。
【００３５】
バリヤーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３６】
また、両バリヤーシート２４，２４は、幅方向外側の部分２４ｘが前後方向全体にわたり物品内面（図示形態ではトップシート２２表面およびバックシート２１表面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１０に示されるように、物品内面（図示形態ではトップシート２２表面）に対して起立可能なバリヤー部となる部分であり、その起立基端２４ｂはバリヤーシート２４における幅方向外側の固定部分２４ｘと内側の部分２４ｃとの境に位置する。
【００３７】
特徴的には、吸収パッド２００の裏面に、液不透過性の自己密着性フィルム３０からなるズレ止め部分が設けられており、この自己密着性フィルム３０は、吸収パッド２００に対して固定された固定部３１と、吸収パッド２００に対して剥離（粘着剤や不織布等、他の素材を伴って剥離する場合を含む）可能に固定された後処理部３２とを有している。固定部３１は通常の操作では剥離しないように強固に固定し、後処理部３２は剥離可能に固定するために、両部位の接着剤の種類や塗布量を変えたり、固定部３１は接着剤で固定するが後処理部３２はエンボス加工等により軽く圧着させたりするといった手法を採用することができる。図中では、固定部３１における固定手段を斜線により、また後処理部３２における剥離可能な固定手段を点模様によりそれぞれ示している。後処理部３２は吸収パッド２００に対して非固定（自由）とすることもできる。
【００３８】
使用時には、例えば図５に示すように、吸収パッド２００を使い捨ておむつ１００のトップシート２上に敷いて使用する。この際、吸収パッド２００の裏面のうち自己密着性フィルム３０からなるズレ止め部分がおむつのトップシート２表面に当接してズレ止め（滑り止め）機能を発揮する。使用後には、図６に示すように、吸収パッド２００をトップシート２２側が内側となるように丸めた若しくは折り畳んだ廃棄状態で、その外周に後処理部３２を巻き付けるとともに、図７に示すように、巻き付けた後処理部３２の端部相互を重ねて密着することによって、廃棄状態に保持することができる。
【００３９】
このように、吸収パッド２００の裏面に自己密着性フィルム３０からなるズレ止め部分を設けることで、ズレ止め手段及び廃棄状態固定手段を同じ位置に兼備できるようになる。
【００４０】
自己密着性フィルム３０は、せん断力及び剥離力に対して十分な抵抗力を有する程度に自己に対して密着するとともに、アウター物品内面に対するズレ止め作用を有する（フィルムが無い場合と比較してずれ難くなる）フィルムを意味するものであり、例えば、ポリ塩化ビニリデン（PVDC）フィルム、ポリ塩化ビニール（PVC）フィルム、ポリオレフィン多層フィルム、ポリエチレン（PE）フィルム、低密度ポリエチレン （LDPE）フィルム等の食品等包装用ラップフィルムや、パラフィンフィルム等を用いることができ、その厚みは、５〜２０μｍ程度、特に１０〜１５μｍ程度であるのが好ましい。
【００４１】
自己密着性フィルム３０としては、伸長性に乏しいフィルムを用いることもできるが、引張強さが１．８〜２．５Ｎ／ｍｍ2、特に２．０〜２．２Ｎ／ｍｍ2で、且つ破断伸びが５００％以上、特に７００％以上の伸張性フィルムを用いるのが好ましい。廃棄状態は使用時と比べてコンパクトであるため、フィルム３０の寸法がある程度小さくても、十分に廃棄状態の吸収パッド２００に巻き付けたり、その全体を被覆したりすることもできる。しかし、伸長性に乏しいフィルム３０では、多様な廃棄状態の寸法、形状に対応し難く、例えば吸収パッド２００が多量に吸収した場合や、汚れを避けて丸めた結果いびつな形状になってしまった場合等に対応できるようにするには、フィルム３０の使用量を増加せざるをえない。これに対して、上述のような伸張性フィルム３０を用いることにより、フィルム３０の使用量を少なく抑えることができるとともに、多様な廃棄状態の寸法、形状にも適合できるようになる。
【００４２】
自己密着性フィルム３０は適宜の部位に設けることができるが、吸収パッド２００裏面のうち前後方向中間部であると、ズレ止め及び後処理の両者に特に適している。すなわち、吸収パッド２００の前後方向中間部は両脚の動きの影響を受け易いためズレが発生し易い。また、吸収パッド２００を廃棄状態にする際、前後いずれか一方から丸めても、前後方向中央を境に二つに折り畳んだ後に前後端部側から丸めても、フィルム３０が外面に露出するため、多様な処理形態に対応できる。また、この場合、フィルム３０の固定部３１は、フィルム３０の中央部、前端部、後端部及び側端部のうちいずれか一か所とすることができるが、特に図示形態のように中央部とするのが好ましい。
【００４３】
自己密着性フィルム３０の寸法及び位置は、廃棄状態の吸収パッド２００の外面全体を被覆（図７参照）しうるように設計するのが好ましい。つまり、フィルム３０の寸法（伸張性フィルムの場合は伸長後の寸法）は、廃棄状態の吸収パッド全体を覆うのに要する面積に、フィルム３０の端部相互の密着に要する密着代を加えることで定めることができる。具体的に、通常の吸収パッド２００に上述の伸張性フィルム３０を用いる場合、フィルム３０の幅３０Ｗは吸収パッド２００の幅Ｗ１の２５〜１００％であるのが好ましく、フィルム３０の前後方向長さ３０Ｌは吸収パッド２００の前後方向長さＬ１の２０〜１００％であるのが好ましい。このように廃棄状態の吸収パッド２００の全体を自己密着性フィルム３０で被覆できると、単に自己密着性フィルム３０で廃棄状態に固定できるだけでなく、排泄物そのもの及び排泄物から発生する臭気を自己密着性フィルム３０で遮断して、内部に閉じ込めておくことができ、衛生的な廃棄処分が可能となる。
【００４４】
なお、図示例は、自己密着性フィルム３０として伸長性フィルムを用い、図１に二点鎖線で示すようにフィルム３０を伸長した後に、図６、図７に示すように廃棄状態の吸収パッド２００の外周全体を被覆するように一周以上巻き付け、巻き付けたフィルム３０の幅方向両端部を折り畳んで（飴の個包装のように捻っても良い）開口を閉じる処理形態を想定したものである。また、図６、図７に示す廃棄状態は、吸収パッド２００を前後方向中央を境に二つに折り畳んだ後に前後端部側から丸めて形成されるものであるが、展開状態において前後いずれか一方から丸めても自己密着性フィルム３０による廃棄状態固定が可能である。
【００４５】
＜第２の形態＞
吸収体２３の裏面側に液不透過性シート２１を備える吸収パッド２００においては、パッド２００を廃棄状態にすることにより、排泄物そのもの及び臭気の吸収体２３裏面側への通路を液不透過性シート２１で遮断できる。第２の形態はこれを利用するものであり、図８及び図９に示されるように、自己密着性フィルム３０が、吸収パッド２００裏面のうち外周縁部に環状に設けられており、この環状フィルム３０の内周縁部が固定部３１とされるとともに、この固定部３１より外周側の部分が後処理部３２とされている点、後処理部３２は吸収パッド２００の他の部分から突出可能である点、及びこの環状フィルム３０の枠内全体にわたるように液不透過性シート２１が設けられている点で、第１の形態と相違するものである。
【００４６】
図示例の後処理部３２は、吸収パッド２００の裏面から剥離することにより、吸収パッド２００の裏面から突出するものであるが、予め吸収パッド２００の裏面から突出されていても良く、また吸収パッド２００の裏面ではなく周縁部に突出していても良い（第４の形態参照）。この形態は、自己密着性フィルム３０の面積が限られるため、伸長性フィルムを用いるのが好ましい。図中の二点鎖線は伸長後の自己密着性フィルム３０を示している。その他は第１の形態と同様である。
【００４７】
第２の形態では、吸収パッド２００を廃棄状態にするとともに、その外部に露出する環状自己密着フィルム３０の外周側後処理部分３２を互いに密着させることにより、吸収パッド２００を廃棄状態に固定することができる。特に、第２の形態の場合、廃棄状態において液不透過性シート２１で遮断できない部分を環状フィルム３０で被覆（実質的にパッド２００の外面全体をフィルム素材２１，３０で被覆）することができるため、単に自己密着性フィルム３０で廃棄状態に固定できるだけでなく、排泄物そのもの及び排泄物から発生する臭気をフィルム素材２１，３０で遮断して、内部に閉じ込めておくことができ、衛生的な廃棄処分が可能となる。
【００４８】
＜第３の形態＞
第３の形態は、第２の形態と同等の効果を発揮するものであるが、製造及び使用がより容易な形態である。すなわち、第３の形態は、図１０及び図１１に示すように、吸収パッド２００の裏面のうち幅方向両側部のそれぞれに、自己密着性フィルム３０，３０が前端部から後端部にかけて設けられており、各フィルム３０の幅方向両端部に固定部３１，３３が設けられるとともに、これら固定部３１，３３間の部分のうち幅方向中央側の端部３３に前後方向に沿ってミシン目３４が形成されており、このミシン目３４とフィルム３０の幅方向外側の固定部３１との間の部分が後処理部３２とされており、且つ一方のフィルム３０における幅方向外側の固定部３１と、他方のフィルム３０における幅方向外側の固定部３１との間の部分全体にわたるように、液不透過性シート２１が設けられている点で、第１の形態と相違するものである。この形態は、自己密着性フィルム３０の面積が限られるため、伸長性フィルムを用いるのが好ましい。図中の二点鎖線は伸長後の自己密着性フィルム３０を示している。その他は第１の形態と同様である。
【００４９】
第３の形態では、ミシン目３４を切り離した後、フィルム３０におけるミシン目３４よりも幅方向外側の部分を、幅方向外側の固定部３１に対する境界を折り目として吸収パッド２００の側方へ折り返すことにより、吸収パッド２００の側方に突出する後処理部分３２が形成される。この後処理部分３２は廃棄状態の吸収パッド２００の両側に突出するため、これらを幅方向中央側に折り返して密着させることにより吸収パッド２００を廃棄状態に固定することができる。しかも、この廃棄状態において液不透過性シート２１で遮断できない部分が側部フィルム３０，３０で被覆されるため、実質的にパッド２００の外面全体がフィルム素材２１，３０で被覆される。つまり、この場合にも、単に自己密着性フィルム３０で廃棄状態に固定できるだけでなく、排泄物そのもの及び排泄物から発生する臭気をフィルム素材２１，３０で遮断して、内部に閉じ込めておくことができ、衛生的な廃棄処分が可能となる。
【００５０】
＜第４の形態＞
第４の形態は、発想を転換し、液不透過性シート２１がパッド裏面全体又は一部に露出する場合を前提として、液不透過性シート２１に代えて前述の自己密着性フィルム３０を用い、この液不透過性シート３０の周縁部の少なくとも一部を、吸収パッド２００の他の部分から突出している後処理部３２とするものである。その他は第１の形態と同様である。後処理部３２は、吸収パッドの裏面３２から突出していても良いが、図示例のように吸収パッド２００の周縁部に突出しているのが好ましい。また、後処理部３２は、予め突出しておらず、他の部分（例えばバリヤーシート２４）から剥離することにより突出するものであっても良い。この形態は、自己密着性フィルム３０の後処理部３２の面積が限られるため、伸長性フィルムを用いるのが好ましい。この形態においても、自己密着性フィルム３０により廃棄状態の吸収パッド２００の外面全体を被覆できるように構成するのが好ましい。その他は、第１の形態と同様である。
【００５１】
この形態では、自己密着性フィルム３０からなる液不透過性シートは、その少なくとも一部が吸収パッド２００の裏面にズレ止め部分として露出しているため、使用時にはズレ止め機能を発揮する。また、使用後においては、吸収パッド２００を廃棄状態にした後、その外部に露出する後処理部３２を、液不透過性シート３０の外部露出部分（後処理部３２を含む）に密着させることにより、吸収パッド２００を廃棄状態に固定することができる。
【００５２】
よって、本第４の形態では、一枚のフィルム３０で、裏面材、防漏材、ズレ止め手段及び廃棄時固定手段を兼備することができるようになる。
【産業上の利用可能性】
【００５３】
本発明は、吸収パッドである限り、使い捨ておむつと組み合わせて用いられるものの他、生理用ナプキンにも利用可能である。
【符号の説明】
【００５４】
１，２１…液不透過性シート、２，２２…透液性トップシート、３，２３…吸収体、４，２４…バリヤーシート、５…ファスニングテープ、６…ターゲットテープ、７…弾性部材、８…基材シート、９…フックテープ、１０…ミシン目、１００…テープ式使い捨ておむつ、２００…吸収パッド。
【図１】
2010227386.tif 000003
【図２】
2010227386.tif 000004
【図３】
2010227386.tif 000005
【図４】
2010227386.tif 000006
【図５】
2010227386.tif 000007
【図６】
2010227386.tif 000008
【図７】
2010227386.tif 000009
【図８】
2010227386.tif 000010
【図９】
2010227386.tif 000011
【図１０】
2010227386.tif 000012
【図１１】
2010227386.tif 000013
【図１２】
2010227386.tif 000014